【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】
プリンタで印刷すべき印刷データを生成するプリンタドライバを備える情報処理装置であって、
印刷設定データと共に印刷すべき文書データを保存する保存手段と、
前記文書データの所定単位毎に、カラー印刷を行わせるかモノクロ印刷を行わせるかのカラーモードを印刷設定データに設定する印刷設定手段と、
印刷指示に応じて前記保存手段から印刷設定データを読み出し、前記印刷設定手段により設定されているカラーモードの設定に応じて、読み出した前記印刷設定データにおける当該カラーモードを指定して前記保存されている文書データをページ単位に読み出して前記プリンタドライバへ出力する印刷指示手段とを備え、
前記印刷指示手段は、前記印刷設定手段により設定されている印刷設定データに基づいて、前記文書データの所定単位毎に設定されているカラーモードの設定を判定し、当該所定単位に対応するページの文書データを出力する際に、前記判定されたカラーモードを前記プリンタドライバへ指示することを特徴とする情報処理装置。
【請求項２】
前記印刷設定手段により設定される印刷設定は、前記所定単位として原稿ページ単位についての、前記プリンタにおけるカラーモードの設定を含み、
前記印刷指示手段は、前記印刷設定が変更された原稿ページを含む印刷媒体を単位として、読み出した前記印刷設定データにおける当該カラーモードの設定を前記プリンタドライバへ指示することを特徴とする請求項１に記載の情報処理装置。
【請求項３】
前記印刷設定手段により設定される印刷設定は、前記所定単位として複数の原稿ページから構成される章単位についての、前記プリンタにおけるカラーモードの設定を含み、
前記印刷指示手段は、前記印刷設定が変更された章に対応する印刷媒体のくくりを単位として、読み出した前記印刷設定データにおける当該カラーモードの設定を前記プリンタドライバへ指示することを特徴とする請求項１または２に記載の情報処理装置。
【請求項４】
前記印刷データを印刷するプリンタで前記所定単位毎にカラーモードの変更に対応できるか否かを、前記プリンタドライバへ問い合わせる問合せ手段を更に備え、
前記印刷指示手段は、前記問合せ手段による問合せに応答して前記プリンタが、前記所定単位毎にカラーモードの変更に対応できると判定される場合には、前記所定単位毎にカラーモードを変更させて前記プリンタドライバへ印刷指示を行い、前記所定単位毎にカラーモードの変更に対応できないと判定される場合には、前記所定単位毎にカラーモードを変更させずに前記プリンタドライバへ印刷指示を行うことを特徴とする請求項１乃至３のいずれか１項に記載の情報処理装置。
【請求項５】
文書データの全体設定として、カラー印刷を行わせるかモノクロ印刷を行わせるかのカラーモードを印刷設定データに設定する全体印刷設定手段を更に備え、
前記印刷指示手段は、前記印刷設定手段によってカラーモードが設定された前記所定単位の文書データについては前記印刷設定手段により設定されたカラーモードを前記プリンタドライバへ指示し、前記印刷設定手段によってカラーモードが設定されていない部分の文書データについては前記全体印刷設定により設定されたカラーモードを前記プリンタドライバへ指示することを特徴とする請求項１乃至４のいずれか１項に記載の情報処理装置。
【請求項６】
プリンタに送信する印刷データを生成する情報処理装置であって、
印刷設定データと共に印刷すべき文書データを保存する保存手段と、
文書データの全体設定として、カラー印刷を行わせるかモノクロ印刷を行わせるかのカラーモードを印刷設定データに設定する全体印刷設定手段と、
文書データの所定単位毎に、前記全体印刷設定手段により設定されているカラーモードとは独立して、カラー印刷を行わせるかモノクロ印刷を行わせるかのカラーモードを印刷設定データに設定する部分印刷設定手段と、
前記印刷設定データに基づいて、前記全体印刷設定手段により設定された文書データの全体設定のカラーモードと前記部分印刷設定手段により設定された前記所定単位毎のカラーモードとに従ってカラーモード指定命令を発行することにより、前記印刷データを生成する印刷データ生成手段とを備え、
前記印刷データ生成手段は、前記部分印刷設定手段によって独立したカラーモードが設定された前記所定単位の文書データについては前記部分印刷設定手段により設定されたカラーモードを用い、前記部分印刷設定手段によって独立したカラーモードが設定されていない部分の文書データについては前記全体印刷設定により設定されたカラーモードを用いることを特徴とする情報処理装置。
【請求項７】
前記保存手段は、アプリケーションから入力されるデータを変換して、中間形式の前記文書データとして保存ファイルに格納することを特徴とする請求項６記載の情報処理装置。
【請求項８】
前記保存手段は、文書データを複数の原稿ページをまとめた章を複数備えるツリー構造で管理することを特徴とする請求項６または７記載の情報処理装置。
【請求項９】
前記部分印刷設定手段は、カラーモードの指定を原稿ページ単位、章単位のそれぞれについて設定可能であることを特徴とする請求項８記載の情報処理装置。
【請求項１０】
前記印刷データを印刷するプリンタで前記所定単位毎にカラーモードの変更に対応できるか否かを、プリンタドライバへ問い合わせる問合せ手段を更に備え、
前記印刷データ生成手段は、前記問合せ手段による問合せに応答して前記プリンタが、前記所定単位毎にカラーモードの変更に対応できると判定される場合には、前記所定単位毎にカラーモードを変更させて前記プリンタドライバへ印刷指示を行い、前記所定単位毎にカラーモードの変更に対応できないと判定される場合には、前記所定単位毎にカラーモードを変更させずに前記プリンタドライバへ印刷指示を行うことにより印刷データを生成することを特徴とする請求項１乃至９のいずれか１項に記載の情報処理装置。
【請求項１１】
プリンタで印刷すべき印刷データを生成するプリンタドライバを備える情報処理装置における印刷データ生成方法であって、
印刷設定データと共に印刷すべき文書データを保存する保存工程と、
前記文書データの所定単位毎に、カラー印刷を行わせるかモノクロ印刷を行わせるかのカラーモードを印刷設定データに設定する印刷設定工程と、
印刷指示に応じて前記保存工程により保存された印刷設定データを読み出し、前記印刷設定工程により設定されているカラーモードの設定に応じて、読み出した前記印刷設定データにおける当該カラーモードを指定して前記保存されている文書データをページ単位に読み出して前記プリンタドライバへ出力する印刷指示工程とを備え、
前記印刷指示工程は、前記印刷設定工程により設定されている印刷設定データに基づいて、前記文書データの所定単位毎に設定されているカラーモードの設定を判定し、当該所定単位に対応するページの文書データを出力する際に、前記判定されたカラーモードを前記プリンタドライバへ指示することを特徴とする印刷データ生成方法。
【請求項１２】
前記印刷設定工程により設定される印刷設定は、前記所定単位として原稿ページ単位についての、前記プリンタにおけるカラーモードの設定を含み、
前記印刷指示工程は、前記印刷設定が変更された原稿ページを含む印刷媒体を単位として、読み出した前記印刷設定データにおける当該カラーモードの設定を前記プリンタドライバへ指示することを特徴とする請求項１１に記載の印刷データ生成方法。
【請求項１３】
前記印刷設定工程により設定される印刷設定は、前記所定単位として複数の原稿ページから構成される章単位についての、前記プリンタにおけるカラーモードの設定を含み、
前記印刷指示工程は、前記印刷設定が変更された章に対応する印刷媒体のくくりを単位として、読み出した前記印刷設定データにおける当該カラーモードの設定を前記プリンタドライバへ指示することを特徴とする請求項１１または１２に記載の印刷データ生成方法。
【請求項１４】
前記印刷データを印刷するプリンタで前記所定単位毎にカラーモードの変更に対応できるか否かを、前記プリンタドライバへ問い合わせる問合せ工程を更に備え、
前記印刷指示工程は、前記問合せ工程による問合せに応答して前記プリンタが、前記所定単位毎にカラーモードの変更に対応できると判定される場合には、前記所定単位毎にカラーモードを変更させて前記プリンタドライバへ印刷指示を行い、前記所定単位毎にカラーモードの変更に対応できないと判定される場合には、前記所定単位毎にカラーモードを変更させずに前記プリンタドライバへ印刷指示を行うことを特徴とする請求項１１乃至１３のいずれか１項に記載の印刷データ生成方法。
【請求項１５】
文書データの全体設定として、カラー印刷を行わせるかモノクロ印刷を行わせるかのカラーモードを印刷設定データに設定する全体印刷設定工程を更に備え、
前記印刷指示工程は、前記印刷設定工程によってカラーモードが設定された前記所定単位の文書データについては前記印刷設定工程により設定されたカラーモードを前記プリンタドライバへ指示し、前記印刷設定工程によってカラーモードが設定されていない部分の文書データについては前記全体印刷設定により設定されたカラーモードを前記プリンタドライバへ指示することを特徴とする請求項１１乃至１４のいずれか１項に記載の印刷データ生成方法。
【請求項１６】
プリンタに送信する印刷データを生成する印刷データ生成方法であって、
印刷設定データと共に印刷すべき文書データを保存する保存工程と、
文書データの全体設定として、カラー印刷を行わせるかモノクロ印刷を行わせるかのカラーモードを印刷設定データに設定する全体印刷設定工程と、
文書データの所定単位毎に、前記全体印刷設定工程により設定されているカラーモードとは独立して、カラー印刷を行わせるかモノクロ印刷を行わせるかのカラーモードを印刷設定データに設定する部分印刷設定工程と、
前記印刷設定データに基づいて、前記全体印刷設定工程により設定された文書データの全体設定のカラーモードと前記部分印刷設定工程により設定された前記所定単位毎のカラーモードとに従ってカラーモード指定命令を発行することにより、前記印刷データを生成する印刷データ生成工程とを備え、
前記印刷データ生成工程は、前記部分印刷設定工程によって独立したカラーモードが設定された前記所定単位の文書データについては前記部分印刷設定工程により設定されたカラーモードを用い、前記部分印刷設定工程によって独立したカラーモードが設定されていない部分の文書データについては前記全体印刷設定により設定されたカラーモードを用いることを特徴とする印刷データ生成方法。
【請求項１７】
前記保存工程は、アプリケーションから入力されるデータを変換して、中間形式の前記文書データとして保存ファイルに格納することを特徴とする請求項１６記載の印刷データ生成方法。
【請求項１８】
前記保存工程は、文書データを複数の原稿ページをまとめた章を複数備えるツリー構造で管理することを特徴とする請求項１６または１７記載の印刷データ生成方法。
【請求項１９】
前記部分印刷設定工程は、カラーモードの指定を原稿ページ単位、章単位のそれぞれについて設定可能であることを特徴とする請求項１８記載の印刷データ生成方法。
【請求項２０】
前記印刷データを印刷するプリンタで前記所定単位毎にカラーモードの変更に対応できるか否かを、プリンタドライバへ問い合わせる問合せ工程を更に備え、
前記印刷データ生成工程は、前記問合せ工程による問合せに応答して前記プリンタが、前記所定単位毎にカラーモードの変更に対応できると判定される場合には、前記所定単位毎にカラーモードを変更させて前記プリンタドライバへ印刷指示を行い、前記所定単位毎にカラーモードの変更に対応できないと判定される場合には、前記所定単位毎にカラーモードを変更させずに前記プリンタドライバへ印刷指示を行うことにより印刷データを生成することを特徴とする請求項１１乃至１９のいずれか１項に記載の印刷データ生成方法。
【請求項２１】
コンピュータによりプリンタに送信する印刷データを生成させる生成機能を備える印刷制御プログラムであって、
印刷設定データと共に印刷すべき文書データを保存する保存工程と、
前記文書データの所定単位毎に、カラー印刷を行わせるかモノクロ印刷を行わせるかのカラーモードを印刷設定データに設定する印刷設定工程と、
印刷指示に応じて前記保存工程により保存された印刷設定データを読み出し、前記印刷設定工程により設定されているカラーモードの設定に応じて、読み出した前記印刷設定データにおける当該カラーモードを指定して前記保存されている文書データをページ単位に読み出して前記プリンタドライバへ出力する印刷指示工程とをコンピュータにより実行させ、
前記印刷指示工程は、前記印刷設定工程により設定されている印刷設定データに基づいて、前記文書データの所定単位毎に設定されているカラーモードの設定を判定し、当該所定単位に対応するページの文書データを出力する際に、前記判定されたカラーモードを前記プリンタドライバへ指示することを特徴とする印刷制御プログラム。
【請求項２２】
前記印刷設定工程により設定される印刷設定は、前記所定単位として原稿ページ単位についての、前記プリンタにおけるカラーモードの設定を含み、
前記印刷指示工程は、前記印刷設定が変更された原稿ページを含む印刷媒体を単位として、読み出した前記印刷設定データにおける当該カラーモードの設定を前記プリンタドライバへ指示することを特徴とする請求項２１に記載の印刷制御プログラム。
【請求項２３】
前記印刷設定工程により設定される印刷設定は、前記所定単位として複数の原稿ページから構成される章単位についての、前記プリンタにおけるカラーモードの設定を含み、
前記印刷指示工程は、前記印刷設定が変更された章に対応する印刷媒体のくくりを単位として、読み出した前記印刷設定データにおける当該カラーモードの設定を前記プリンタドライバへ指示することを特徴とする請求項２１または２２に記載の印刷制御プログラム。
【請求項２４】
前記印刷データを印刷するプリンタで前記所定単位毎にカラーモードの変更に対応できるか否かを、前記プリンタドライバへ問い合わせる問合せ工程をコンピュータにより更に実行させ、
前記印刷指示工程は、前記問合せ工程による問合せに応答して前記プリンタが、前記所定単位毎にカラーモードの変更に対応できると判定される場合には、前記所定単位毎にカラーモードを変更させて前記プリンタドライバへ印刷指示を行い、前記所定単位毎にカラーモードの変更に対応できないと判定される場合には、前記所定単位毎にカラーモードを変更させずに前記プリンタドライバへ印刷指示を行うことを特徴とする請求項２１乃至２３のいずれか１項に記載の印刷制御プログラム。
【請求項２５】
文書データの全体設定として、カラー印刷を行わせるかモノクロ印刷を行わせるかのカラーモードを印刷設定データに設定する全体印刷設定工程をコンピュータにより更に実行させ、
前記印刷指示工程は、前記印刷設定工程によってカラーモードが設定された前記所定単位の文書データについては前記印刷設定工程により設定されたカラーモードを前記プリンタドライバへ指示し、前記印刷設定工程によってカラーモードが設定されていない部分の文書データについては前記全体印刷設定により設定されたカラーモードを前記プリンタドライバへ指示することを特徴とする請求項２１乃至２４のいずれか１項に記載の印刷制御プログラム。
【請求項２６】
コンピュータによりプリンタに送信する印刷データを生成させる印刷制御プログラムであって、
印刷設定データと共に印刷すべき文書データを保存する保存工程と、
文書データの全体設定として、カラー印刷を行わせるかモノクロ印刷を行わせるかのカラーモードを印刷設定データに設定する全体印刷設定工程と、
文書データの所定単位毎に、前記全体印刷設定工程により設定されているカラーモードとは独立して、カラー印刷を行わせるかモノクロ印刷を行わせるかのカラーモードを印刷設定データに設定する部分印刷設定工程と、
前記印刷設定データに基づいて、前記全体印刷設定工程により設定された文書データの全体設定のカラーモードと前記部分印刷設定工程により設定された前記所定単位毎のカラーモードとに従ってカラーモード指定命令を発行することにより、前記印刷データを生成する印刷データ生成工程とをコンピュータにより実行させ、
前記印刷データ生成工程は、前記部分印刷設定工程によって独立したカラーモードが設定された前記所定単位の文書データについては前記部分印刷設定工程により設定されたカラーモードを用い、前記部分印刷設定工程によって独立したカラーモードが設定されていない部分の文書データについては前記全体印刷設定により設定されたカラーモードを用いることを特徴とする印刷制御プログラム。
【請求項２７】
前記保存工程は、アプリケーションから入力されるデータを変換して、中間形式の前記文書データとして保存ファイルに格納することを特徴とする請求項２６記載の印刷制御プログラム。
【請求項２８】
前記保存工程は、文書データを複数の原稿ページをまとめた章を複数備えるツリー構造で管理することを特徴とする請求項２６または２７記載の印刷制御プログラム。
【請求項２９】
前記部分印刷設定工程は、カラーモードの指定を原稿ページ単位、章単位のそれぞれについて設定可能であることを特徴とする請求項２８記載の印刷制御プログラム。
【請求項３０】
前記印刷データを印刷するプリンタで前記所定単位毎にカラーモードの変更に対応できるか否かを、プリンタドライバへ問い合わせる問合せ工程をコンピュータにより更に実行させ、
前記印刷データ生成工程は、前記問合せ工程による問合せに応答して前記プリンタが、前記所定単位毎にカラーモードの変更に対応できると判定される場合には、前記所定単位毎にカラーモードを変更させて前記プリンタドライバへ印刷指示を行い、前記所定単位毎にカラーモードの変更に対応できないと判定される場合には、前記所定単位毎にカラーモードを変更させずに前記プリンタドライバへ印刷指示を行うことにより印刷データを生成することを特徴とする請求項２１乃至２９のいずれか１項に記載の印刷制御プログラム。
【手続補正２】
【補正対象書類名】明細書
【補正対象項目名】００１４
【補正方法】変更
【補正の内容】
【００１４】
プリンタで印刷すべき印刷データを生成するプリンタドライバを備える情報処理装置であって、
印刷設定データと共に印刷すべき文書データを保存する保存手段と、
前記文書データの所定単位毎に、カラー印刷を行わせるかモノクロ印刷を行わせるかのカラーモードを印刷設定データに設定する印刷設定手段と、
印刷指示に応じて前記保存手段から印刷設定データを読み出し、前記印刷設定手段により設定されているカラーモードの設定に応じて、読み出した前記印刷設定データにおける当該カラーモードを指定して前記保存されている文書データをページ単位に読み出して前記プリンタドライバへ出力する印刷指示手段とを備え、
前記印刷指示手段は、前記印刷設定手段により設定されている印刷設定データに基づいて、前記文書データの所定単位毎に設定されているカラーモードの設定を判定し、当該所定単位に対応するページの文書データを出力する際に、前記判定されたカラーモードを前記プリンタドライバへ指示する。
【手続補正３】
【補正対象書類名】明細書
【補正対象項目名】００１６
【補正方法】変更
【補正の内容】
【００１６】
さらに好ましくは、前記印刷設定手段により設定される印刷設定は、前記所定単位として原稿ページ単位についての、前記プリンタにおけるカラーモードの設定を含み、
前記印刷指示手段は、前記印刷設定が変更された原稿ページを含む印刷媒体を単位として、読み出した前記印刷設定データにおける当該カラーモードの設定を前記プリンタドライバへ指示する。
【手続補正４】
【補正対象書類名】明細書
【補正対象項目名】００１７
【補正方法】変更
【補正の内容】
【００１７】
さらに好ましくは、前記印刷設定手段により設定される印刷設定は、前記所定単位として複数の原稿ページから構成される章単位についての、前記プリンタにおけるカラーモードの設定を含み、
前記印刷指示手段は、前記印刷設定が変更された章に対応する印刷媒体のくくりを単位として、読み出した前記印刷設定データにおける当該カラーモードの設定を前記プリンタドライバへ指示する。
【手続補正５】
【補正対象書類名】明細書
【補正対象項目名】００１８
【補正方法】変更
【補正の内容】
【００１８】
さらに好ましくは、前記印刷データを印刷するプリンタで前記所定単位毎にカラーモードの変更に対応できるか否かを、前記プリンタドライバへ問い合わせる問合せ手段を更に備え、
前記印刷指示手段は、前記問合せ手段による問合せに応答して前記プリンタが、前記所定単位毎にカラーモードの変更に対応できると判定される場合には、前記所定単位毎にカラーモードを変更させて前記プリンタドライバへ印刷指示を行い、前記所定単位毎にカラーモードの変更に対応できないと判定される場合には、前記所定単位毎にカラーモードを変更させずに前記プリンタドライバへ印刷指示を行う。
【手続補正６】
【補正対象書類名】明細書
【補正対象項目名】００１９
【補正方法】変更
【補正の内容】
【００１９】
さらに好ましくは、文書データの全体設定として、カラー印刷を行わせるかモノクロ印刷を行わせるかのカラーモードを印刷設定データに設定する全体印刷設定手段を更に備え、
前記印刷指示手段は、前記印刷設定手段によってカラーモードが設定された前記所定単位の文書データについては前記印刷設定手段により設定されたカラーモードを前記プリンタドライバへ指示し、前記印刷設定手段によってカラーモードが設定されていない部分の文書データについては前記全体印刷設定により設定されたカラーモードを前記プリンタドライバへ指示する。
【手続補正７】
【補正対象書類名】明細書
【補正対象項目名】００２０
【補正方法】変更
【補正の内容】
【００２０】
あるいは、プリンタに送信する印刷データを生成する情報処理装置であって、
印刷設定データと共に印刷すべき文書データを保存する保存手段と、
文書データの全体設定として、カラー印刷を行わせるかモノクロ印刷を行わせるかのカラーモードを印刷設定データに設定する全体印刷設定手段と、
文書データの所定単位毎に、前記全体印刷設定手段により設定されているカラーモードとは独立して、カラー印刷を行わせるかモノクロ印刷を行わせるかのカラーモードを印刷設定データに設定する部分印刷設定手段と、
前記印刷設定データに基づいて、前記全体印刷設定手段により設定された文書データの全体設定のカラーモードと前記部分印刷設定手段により設定された前記所定単位毎のカラーモードとに従ってカラーモード指定命令を発行することにより、前記印刷データを生成する印刷データ生成手段とを備え、
前記印刷データ生成手段は、前記部分印刷設定手段によって独立したカラーモードが設定された前記所定単位の文書データについては前記部分印刷設定手段により設定されたカラーモードを用い、前記部分印刷設定手段によって独立したカラーモードが設定されていない部分の文書データについては前記全体印刷設定により設定されたカラーモードを用いる。
【手続補正８】
【補正対象書類名】明細書
【補正対象項目名】００２３
【補正方法】変更
【補正の内容】
【００２３】
さらに好ましくは、前記部分印刷設定手段は、カラーモードの指定を原稿ページ単位、章単位のそれぞれについて設定可能である。
【手続補正９】
【補正対象書類名】明細書
【補正対象項目名】００２４
【補正方法】変更
【補正の内容】
【００２４】
さらに好ましくは、前記印刷データを印刷するプリンタで前記所定単位毎にカラーモードの変更に対応できるか否かを、プリンタドライバへ問い合わせる問合せ手段を更に備え、
前記印刷データ生成手段は、前記問合せ手段による問合せに応答して前記プリンタが、前記所定単位毎にカラーモードの変更に対応できると判定される場合には、前記所定単位毎にカラーモードを変更させて前記プリンタドライバへ印刷指示を行い、前記所定単位毎にカラーモードの変更に対応できないと判定される場合には、前記所定単位毎にカラーモードを変更させずに前記プリンタドライバへ印刷指示を行うことにより印刷データを生成する。